【事件の表示】
　特許第２７３８８２９号「高圧用可変抵抗器」の特許に対する特許異議の申立てについて、次のとおり決定する。
【結論】
　訂正を認める。
　特許第２７３８８２９号の特許を維持する。
【理由】
ア．手続きの経緯
　本件特許第２７３８８２９号発明についての出願は、昭和６１年５月２８日に出願された実願昭６１−８０８４１号を平成８年６月１２日に特許出願に変更し（特願平８−１５０６０１号）、平成１０年１月１６日にその発明についての特許の設定登録がなされた後、特許異議申立人株式会社村田製作所より特許異議の申立がなされ、取消理由通知がなされ、その後指定期間内である平成１１年８月１７日に訂正請求がなされた。
イ．訂正の適否について
イ−１．訂正事項
（１）特許請求の範囲の請求項１の第１９行（特許公報第１頁第２欄第１１行）の「の少なくとも１つの挟持片」を削除する。
（２）明細書第４頁第３行（特許公報第２頁第４欄第３０行〜３１行）の「の少なくとも１つの挟持片」を削除する。
（３）明細書第５頁第１行（特許公報第３頁第５欄第１４行）の「に本発明を適用した実施例を「であって、本発明の実施例の前提となる参考例」に訂正する。
（４）明細書第５頁第２５行（特許公報第３頁第５欄第４３行）、第６頁第７行（特許公報第３頁第６欄第７行）、第９頁第７行（特許公報第４頁第８欄第１６行〜１７行）、第９頁第２７行（特許公報第４頁第８欄第４０行）、第１０頁第２１行（特許公報第５頁第９欄第１８行）、第１０頁第２７行（特許公報第５頁第９欄第２６行）、第１１頁第９行（特許公報第５頁第９欄第４１行）、第１１頁第１４行（特許公報第５頁第９欄第４４行）、第１１頁第２１行（特許公報第５頁第１０欄第３行）、第１１頁第２７行（特許公報第５頁第１０欄第１０行）、第１２頁第１３行（特許公報第５頁第１０欄第２８行）、第１２頁第２１行（特許公報第５頁第１０欄第３６行）、第１３頁第２７行（特許公報第６頁第１２欄第２行）の「実施例」をそれぞれ「例」に訂正する。
（５）明細書第１１頁第１３行（特許公報第５頁第９欄第４４行）の「実施例の変形例」を削除する。
（６）明細書第１２頁第２０行（特許公報第５頁第１０欄第３６行）の「他の」を削除する。
（７）明細書第１２頁第２２行（特許公報第５頁第１０欄第３８行）の「図９」の前に「本発明の実施例では、」を挿入する。
（８）明細書第１２頁第２４行（特許公報第５頁第１０欄第４１行）の「もよい」を「いる」に訂正する。
（９）明細書第１３頁第２３行（特許公報第６頁第１１欄第２４行）の「部分」の前に［前提となる参考例の」を挿入する。
（１０）明細書第１４頁第１０行（特許公報第６頁第１２欄第１０行）の「他の」を削除する。
イ−２．訂正の目的の適否、新規事項の有無及び拡張・変更の存否
▲１▼上記訂正事項（１）については、特許明細書の特許請求の範囲に記載された「複数の挟持片の少なくとも１つの挟持片は挟持した前記芯線に引抜力が付与された際に前記芯線に食い込むエッジ部を有しており」を下位概念の一つである「複数の挟持片は挟持した前記芯線に引抜力が付与された際に前記芯線に食い込むエッジ部を有しており」に限定しようとするものである。当該限定事項の根拠は、特許明細書の第１２頁の【００４０】及び【００４１】の欄及び図９及び図１０に示されている。したがって、この訂正は、特許請求の範囲の減縮を目的とするものである。また、上記訂正事項は、願書に添付した明細書または図面に記載した事項の範囲内の訂正であり、実質上特許請求の範囲を拡張し、又は変更するものでもない。
▲２▼上記訂正事項（２）は、上記訂正事項（１）の訂正に対応するものであり、明瞭でない記載の釈明に相当するものである。また、上記訂正事項は、願書に添付した明細書または図面に記載した事項の範囲内の訂正であり、実質上特許請求の範囲を拡張し、又は変更するものでもない。
▲３▼上記訂正事項（３）、（４）、（５）及び（８）は、いずれも上記訂正事項（１）の訂正により図１乃至図８に示された特許明細書の第１の実施例が特許発明の実施例ではなくなったために誤記または明瞭でない記載となった記述を訂正するものである。したがってこれらの訂正は明瞭でない記載の釈明に相当するものである。また、上記訂正事項は、願書に添付した明細書または図面に記載した事項の範囲内の訂正であり、実質上特許請求の範囲を拡張し、又は変更するものでもない。
▲４▼上記訂正事項（６）、（７）及び（９）は、いずれも上記訂正事項（１）の訂正により図１乃至図８に示された特許明細書の第１の実施例が特許発明の実施例ではなくなったために明瞭でない記載となった記述を訂正するものであり、明瞭でない記載の釈明に相当するものである。また、上記訂正事項は、願書に添付した明細書または図面に記載した事項の範囲内の訂正であり、実質上特許請求の範囲を拡張し、又は変更するものでもない。
イ−３．独立特許要件について
イ−３．（１）．本件発明
　本件特許に係る訂正された発明（以下、「本件発明」という。）は、訂正明細書及び図面の記載からみて、その特許請求の範囲に記載された以下のとおりのものであると認める。
『表面にフォーカス用抵抗体とスクリーン用抵抗体とを含む抵抗体回路パターンを備えた回路基板（５）が一端開口状の絶縁ケース（１）の内部に収納され、
前記絶縁ケース（１）と前記回路基板（５）の前記表面との間に摺動子が収納され、
　前記絶縁ケース（１）の開口部に絶縁樹脂が充填されて前記回路基板（５）の裏面側に絶縁樹脂層（６）が形成され、
　前記絶縁ケース（１）の側壁部にはフォーカス出力用のり一ド線とスクリーン出力用のリ一ド線がそれぞれ挿入される二つのリード線挿入孔（３ｃ）が形成されており、
　前記回路基板の裏面側から延びる金属製の接続端子（９）が前記絶縁ケース（１）の１つの側壁部（１ｋ）を越えて延びている高圧用可変抵抗器であって、
　前記絶縁ケース（１）と前記回路基板（５）との間には、前記回路基板上の前記抵抗体回路パターンのフォーカス出力電極とスクリーン出力電極とにそれぞれ電気的に接続された２つのりリ一ド線挟持手段（４）が配置されており、
　前記２つのリ一ド線挟持手段（４）は、前記絶縁ケースの前記側壁部に設けた前記リード線挿入孔（３ｂ，３ｃ）から挿入された前記リード線の芯線の端部（１２）を挟持する複数の挟持片（４１，４２）を有しており、前記複数の挟持片は挟持した前記芯線に引抜力が付与された際に前記芯線に食込むエッジ部（４１ｃ）を有しており、
　前記フォーカス出力用のリ一ド線が挿入されるリード線挿入孔（３ｂ，３ｃ）は、前記絶縁ケースの側壁部のうち前記接続端子（９）が越えて延びる前記側壁部（１ｋ）と対向する側壁部（１ｃ）に設けられ、前記スクリーン出力用のリード線が挿入されるリード線挿入孔は前記側壁部（ｌｃ）と隣接する側壁部（１ｉ）に設けられていることを特徴とする高圧用可変抵抗器。』
イ−３．（２）．取消理由通知
　当審で通知した取消理由は次のとおりである。
　『Ｉ．本件発明
　本件特許第２７３８８２９号の請求項１に係る発明（以下「本件発明」という。）は、特許明細書及び図面の記載からみて、その特許請求の範囲に記載された次の▲１▼〜▲８▼の事項により特定されるとおりの「高圧用可変抵抗器」にあるものと認める。
▲１▼表面にフォーカス用抵抗体とスクリーン用抵抗体とを含む抵抗体回路パターンを備えた回路基板（５）が一端開口状絶縁ケース（１）の内部に収納され、
▲２▼前記絶縁ケース（１）の開口部に絶縁樹脂が充填されて前記回路基板（５）の裏面側に絶縁樹脂層（６）が形成され、
▲３▼前記絶縁ケース（１）の側壁部にはフォーカス出力用のリード線とスクリーン出力用のリード線がそれぞれ挿入される二つのリード線挿入孔（３ｃ）が形成されており、
▲４▼前記回路基板の裏面側から延びる金属製の接続端子（９）が前記絶縁ケース（１）の１つの側壁部（１ｋ）を越えて延びている高圧用可変抵抗器であって、
▲５▼前記絶縁ケース（１）と前記回路基板（５）との間には、前記回路基板上の前記抵抗体回路パターンのフォーカス出力電極とスクリーン出力電極とにそれぞれ電気的に接続された２つのリード線挟持手段（４）が配置されており、
▲６▼前記２つのリード線挟持手段（４）は、前記絶縁ケースの前記側壁部に設けた前記リード線挿入孔（３ｂ，３ｃ）から挿入された前記リード線の芯線の端部（１２）を挟持する複数の挟持片（４１，４２）を有しており、前記複数の挟持片の少なくとも１つの挟持片は挟持した前記芯線に引抜力が付与された際に前記芯線に食込むエッジ部（４１ｃ）を有しており、
▲７▼前記フォーカス出力用のリード線が挿入されるリード線挿入孔（３ｂ，３ｃ）は、前記絶縁ケースの側壁部のうち前記接続端子（９）が越えて延びる前記側壁部（１ｋ）と対向する側壁部（１ｃ）に設けられ、
▲８▼前記スクリーン出力用リード線が挿入されるリード線挿入孔は前記側壁部（１ｃ）と隣接する側壁部（１ｉ）に設けられている、
ＩＩ．特許法第２９条第２項違反について
刊行物１：実願昭５８−１４４６７６号（実開昭６０−５２７６２号）のマイクロフィルム
刊行物２：ＰＨＩＬＩＰＳ　ＤＡＴＡ　ＨＡＮＤＢＯＯＫ　ＣＯＭＰＯＮＥＮＴＳ　ＡＮＤ　ＭＡＴＥＲＩＡＬＳ　ＢＯＯＫ　Ｃ１２
　「Ｐｏｔｅｎｔｉｏｍｅｔｅｒｓ，ｅｎｃｏｄｅｒｓ　ａｎｄ　ｓｗｉｔｃｈｅｓ」
１９８６年３月発行
刊行物３：西独国特許２７２０４４６号公報
（１）刊行物に記載された発明
・刊行物１
　刊行物１には、第１図〜第６図と共に、次のような記載がある。
（ａ）「７はフォーカスパックを示し、フォーカス電圧調整用可変抵抗８、・・・スクリーン電圧調整用可変抵抗１０、・・・を含む」（第２頁１７〜２０行）、
（ｂ）「フォーカスパック７の直列回路は・・・端子１４間に接続されており、端子１４は接地される。」（第３頁第３〜６行）、
（ｃ）「フォーカス用電極１９にはフォーカス電圧出力端子２０からフォーカス出力リード線２１を介してフォーカス電圧が供給され、また、スクリーン電極２２にはスクリーン電圧出力端子２３からスクリーン出力リード線２４を介してスクリーン電圧が供給される」（第３頁第１１〜１６行）、
（ｄ）「第１図において、・・・２８は第２図の端子１２、１４等に対応する端子ピンを示す。」（第３頁第１９行〜第４頁第２行）、
（ｅ）「フォーカスパック７のケース３２の上面には、第４図に示す如く、・・・フォーカス出力リード線２１，スクリーン出力リード線２４をフォーカスパック７の上部から外部へ導出するための透孔３４を有する円筒片３５，３６が形成されるものである。」（第４頁第９〜１５行）、
（ｆ）「尚、フォーカスパック７のケース３２の内部の所定位置には、・・・抵抗基板３７を保護するための樹脂３８が設けられている。」（第４頁第１５〜１９行）、（ｇ）「スクリーン電圧調整用可変抵抗を含む場合、スクリーン出力リード線のフォーカスパックから外部への導出位置も実施例に何等限定されることはない。」（第７頁第１０〜１３行）。
　これら（ａ）〜（ｇ）の記載事項からみて、同刊行物における用語と本件発明における用語とは、抵抗基板３７→回路基板（５）、ケース３２→絶縁ケース（１）、樹脂３８→絶縁樹脂層（６）、透孔３４→リード線挿入口（３ｃ）、端子ピン２８→接続端子（９）、フォーカスパック→高圧用抵抗器、のように対応していることは明らかであるから、同刊行物には、▲１▼表面にフォーカス用抵抗体とスクリーン用抵抗体とを含む抵抗体回路パターンを備えた回路基板が一端開口状絶縁ケースの内部に収納され、▲２▼前記絶縁ケースの開口部に絶縁樹脂が充填されて前記回路基板の裏面側に絶縁樹脂層が形成され、▲３▼前記絶縁ケースの側壁部にはフォーカス出力用のリード線とスクリーン出力用のリード線がそれぞれ挿入される二つのリード線挿入孔が形成されており、▲４▼前記回路基板の裏面側から延びる金属製の接続端子が前記絶縁ケースの１つの側壁部を越えて延びている高圧用可変抵抗器であって、▲５▼’前記回路基板上の前記抵抗体回路パターンのフォーカス出力電極とスクリーン出力電極とにそれぞれフォーカス出力用リード線とスクリーン出力用リード線が電気的に接続され、▲７▼前記フォーカス出力用のリード線が挿入されるリード線挿入孔は、前記絶縁ケースの側壁部のうち前記接続端子が越えて延びる前記側壁部と対向する側壁部に設けられ、▲８▼’前記スクリーン出力用リード線が挿入されるリード線挿入孔は前記フォーカス出力用リード線用のリード挿入孔が設けられる側壁と同じ側壁（第４図）又は前記絶縁ケースの上壁でスクリーン用抵抗体の近傍に設けられている（第５図）、高圧用抵抗器の発明が開示されているものと認める。
・刊行物２
　第２５７頁「ＤＥＳＣＲＩＰＴＩＯＮ（説明）」の欄、第１行目に「Ｔｈｉｓ　ｕｎｉｔ　ｃｏｍｐｒｉｓｃｓ　ｓｅｖｅｎｒｅｓｉｓｔａｎｃｅ，ｔｈｅ　ｓｅｃｏｎｄ　ａｎｄ　ｆｏｕｒｔｈ　ｅｌｅｍｅｎｔｓ　ａｒｅ　ｐｏｔｅｎｔｉｏｍｅｔｅｒ．（このユニットは７個の抵抗を含み、第２と第４の素子は可変抵抗である。）」、第６〜７行目に「Ｅｌｅｃｔｏｒｉｃａｌ　ｃｏｎｎｅｃｔｉｏｎ　ｏｆ　ｆｏｃｕｓ　ａｎｄ　Ｖｇ２　ａｒｅ　ｄｏｎｅ　ｉｎ　ａ　ｖｅｒｙ　ｓｉｍｐｌｅ　ｗａｙ　ｂｙ　ｐｒｅｓｓｉｎｇ　ｓｔｒｉｐｐｅｄ　ｗｉｒｅｓ　ｉｎｔｏ　ｔｈｅ　ｂ１　ａｎｄ　ｂ２　ｃｏｎｎｅｃｔｉｎｇ　ｈｏｌｅｓ　ｒｅｓｐｅｃｔｉｖｅｌｙ．（フォーカス及びＶｇ２の電気的接続はそれぞれ接続孔ｂ１、ｂ２に剥いた線が圧入されることによって非常に簡単におこなわれる）」なる記載があり、第２５８頁には、ケースの上面にフォーカス用可変抵抗器とスクリーン用可変抵抗器が配置されていることが確認できる「ＭＩＮＩＡＴＵＲＥ　ＤＳＴ　ＦＯＣＵＳ　ＰＯＴＥＮＴＩＯＭＥＴＥＲ」（小型ＤＳＴ（ｄａｉｏｄｅ−ｓｐｌｉｔ　ｔｒａｎｓｆｏｒｍｅｒ）フォーカス可変抵抗器）としての平面図と側面図と見られるものがＦｉｇ．１として示されており、その下方部には、
「Ｆｉｇ．１　ａ＝ｈｉｇｈ　ｔｅｎｓｉｏｎ；ｂ１＝ｆｏｃｕｓ；ｂ２＝Ｖｇ２；ｃ＝ｅａｒｔｈ．」なる記載があり、さらに、その下方には
「Ｉｎｓｅｒｔｉｏｎ　ｆｏｒｃｅ　ｏｆ　ｗｉｒｅ　ｃｏｎｎｅｃｔｉｏｎｓ　ｂ１　ａｎｄ　ｂ２　＜　２５　Ｎ
　Ｅｘｔｒａｃｔｉｏｎ　ｆｏｒｃｅ　ｏｆ　ｗｉｒｅ　ｃｏｎｎｅｃｔｉｏｎｓ　ｂ１　ａｎｄ　ｂ２　＞　５０　Ｎ」
なる記載があり、第２５９頁には、７個の抵抗を含む電気回路図が示されている。　これらの記載から、Ｆｉｇ．１に示されたフォーカス可変抵抗器は、本件発明における回路基板と同等の回路基板を備えていること、フォーカス用可変抵抗器とスクリーン用可変抵抗器が配置されているケースは一端開口状の絶縁ケースであること、及び、同図における接続孔ｂ１、接続孔ｂ２、アースｃは、それぞれ本件発明におけるフォーカス出力用リード線挿入孔、スクリーン出力用リード線挿入孔、接続端子に対応するものであることは明らかであり、また、上記接続孔ｂ１はケースの上面ではあるがアース端子ｃが設けられている方の側壁側と対向する側壁側に設けられており、接続孔ｂ２もケースの上面ではあるが接続孔ｂ１の方の側壁と隣接する側壁側に設けられていることから、同刊行物には、▲１▼’表面にフォーカス用抵抗体とスクリーン用抵抗体とを含む抵抗体回路パターンを備えた回路基板（５）が一端開口状絶縁ケース（１）の開口部付近に装着され、▲３▼’前記絶縁ケースの上面部の側壁近傍にはフォーカス出力用のリード線とスクリーン出力用のリード線がそれぞれ挿入される二つのリード線挿入孔が形成されており、▲４▼前記回路基板の裏面側から延びる金属製の接続端子が前記絶縁ケースの１つの側壁部を越えて延びている高圧用可変抵抗器であって、▲５▼前記絶縁ケースと前記回路基板との間には、前記回路基板上の前記抵抗体回路パターンのフォーカス出力電極とスクリーン出力電極とにそれぞれ電気的に接続された２つのリード線挟持手段が配置されており、▲６▼前記２つのリード線挟持手段は、前記絶縁ケースの前記側壁部近傍に設けた前記リード線挿入孔から挿入された前記リード線の芯線の端部を挟持する挟持手段を有しており、該挟持手段は引抜力（５０＞Ｎ）が圧入力（２５＜Ｎ）の２倍以上となる挟持力を有しており、▲７▼前記フォーカス出力用のリード線が挿入されるリード線挿入孔は、前記絶縁ケースの側壁部のうち前記接続端子が越えて延びる前記側壁部と対向する第１の側壁部近傍にに設けられ、▲８▼前記スクリーン出力用リード線が挿入されるリード線挿入孔は前記第１の側壁部と隣接する第２の側壁部近傍に設けられている、高圧用可変抵抗器が記載されているものと認める。
・刊行物３
　刊行物３には、付加線をハンダ付によらずに電機部品に接続する手段として、２つの挟持片（５，１４）を有し、一方の挟持片（１４）は挟持した付加線の芯線に引抜力が付与された際に前記芯線に食い込むエッジ部（１５）を有しているものが記載されている。
ＩＩＩ．対比・判断
　本件発明と刊行物２に記載の発明とを対比すると、刊行物２のものは、（ア）回路基板が絶縁ケースの内部に収納されていないようにみえる点で上記▲１▼とは若干異なり、（イ）上記▲２▼の点の記載がなく、（ウ）挟持手段について上記▲６▼のような具体的構造は記載されておらず、（エ）各リード線挿入孔がケースの側壁ではなく上面になっている点で本件発明と相違しているが、その他の点に差異はない。
　上記相違点について検討すると、上記（ア）、（イ）の点は、刊行物１において従来例として示されていることからも分かるよう、この種の高圧用可変抵抗器として普通の構成であって格別なことではない。上記（ウ）の点は、リード線の挟持手段自体は刊行物３に見られるように公知であり、該公知の挟持手段を高圧用可変抵抗器のリード線挟持手段に採用することに何の困難性もない。上記（エ）の点は、リード線挿入孔をケースの上面に設けるか側壁に設けるかは、リード線挟持手段の構造等によって自ずと決まることであり、設計事項に属するものである。
ＩＶ．むすび
　以上のとおりであるから、本件発明は、上記刊行物記載の発明に基づいて当業者が容易に発明することができたものである。
　したがって、本件請求項１に係る特許は、特許法第２９条第２項の規定に違反してされたものである。』
イ−３．（３）．引用刊行物の発明
　各引用刊行物に記載された発明については、上記イ−３．（２）取消理由通知の項中のＩＩ．（１）を参照。
イ−３．（４）．対比・判断
（ａ）．本件発明と刊行物１、３に記載のものとを対比すると、本件発明は、『前記絶縁ケース（１）と前記回路基板（５）との間には、前記回路基板上の前記抵抗体回路パターンのフォーカス出力電極とスクリーン出力電極とにそれぞれ電気的に接続された２つのりリ一ド線挟持手段（４）が配置されており、
　前記２つのリ一ド線挟持手段（４）は、前記絶縁ケースの前記側壁部に設けた前記リード線挿入孔（３ｂ，３ｃ）から挿入された前記リード線の芯線の端部（１２）を挟持する複数の挟持片（４１，４２）を有しており、前記複数の挟持片は挟持した前記芯線に引抜力が付与された際に前記芯線に食込むエッジ部（４１ｃ）を有しており、
　前記フォーカス出力用のリード線が挿入されるリード線挿入孔（３ｂ，３ｃ）は、前記絶縁ケースの側壁部のうち前記接続端子（９）が越えて延びる前記側壁部（１ｋ）と対向する側壁部（１ｃ）に設けられ、前記スクリーン出力用のり一ド線が挿入されるリード線挿入孔は前記側壁部（１ｃ）と隣接する側壁部（１ｉ）に設けられていること』を必須の構成要件として具備するところ、刊行物１、３には当該構成要件に相当する記載はなく、示唆するものも見あたらない。
　また、刊行物１に記載のものと刊行物３に記載のものとを組み合わせてみても本件発明を得ることはできない。
　そして本件発明は、前記構成要件を具備することでことで、フォーカス出力用のリード線とスクリーン出力用のリード線を組立ての最終工程で接続できるので、高圧用可変抵抗器の組立ては勿論のこと、高圧用抵抗器とフライバッックトランスとの組み合わせ作業が容易になり、また、機種に応じて、適宜の長さのリード線を装着できるので、高圧用抵抗器の汎用性を高めることができる。さらに、フォーカス出力用のリード線が挿入されるリード線挿入孔、スクリーン出力用のリード線が挿入されるリード線挿入孔とを絶縁ケースの異なった側壁部に設け、しかもスクリーン出力用のリード線が挿入されるリード線挿入孔を接続端子が越えて延びる側壁部とは異なる側壁部に設けるため、各端子間の絶縁距離を延ばすことができ、リード線挿入孔を絶縁ケース側壁部に開けても、外部放電が発生するのを有効に防止できる、という明細書記載の格別な効果を奏するものであるから、引用刊行物１、３に記載された発明に基づいて当業者が容易に発明することができたものとすることはできない。
　また、本件発明は、他の特許要件を満たさないものでもない。
　なお、刊行物２は、各頁の下に『Ｍａｒｃｈ　１９８６』なる印刷があることから、上記取消理由通知において本件出願前に頒布された刊行物として扱ったが、後記ウ−２の理由により本件出願前に頒布された刊行物として扱わないこととした。
（まとめ）
　したがって、本件発明は、特許出願の際独立して特許を受けることができない発明とすることはできない。
イ−４．訂正の適否についての結論
　以上のとおりであるから、上記訂正請求は、特許法第１２０条の４第２項の規定及び同条第３項で準用する第１２６条第２項〜第４項の規定に適合するので、当該訂正を認める。
ウ．特許異議申立について
ウ−１．申立理由の概要
　特許異議申立人は、本件出願前に頒布した刊行物として甲１第号証（上記刊行物１）、甲第２号証（上記刊行物２）、甲第３号証（上記刊行物３）、を提示し、本件発明は、上記甲第１号証、甲第２号証、甲第３号証に記載された発明に基づいて当業者が容易に発明をすることができたものであるから特許法第２９条第２項の規定に該当し、その特許は特許法第１１３条第２号の規定により取り消されるべきものである旨主張している。
ウ−２．当審の判断
　異議申立人が本件出願前に頒布された刊行物であるとして提示した甲第２号証（刊行物２）に対し、特許異議意見書において、特許権者は、刊行物２は、各頁の下に“Ｍａｒｃｈ　１９８６”の記載があるだけでこの記載が発行日を示しているものであるかどうかは不明確であるから、同刊行物が本出，願の出願前に頒布された刊行物とは認められない旨主張している。そこで、同刊行物について調査したところ、同刊行物が本出願の出願前に頒布されたものであることを確認することができなかった。したがって、刊行物２を本件発明に対し本件出願前に頒布された刊行物として採用することはできない。
　また、本件発明が刊行物１，３から当業者が容易に発明することができたものであるとすることができないことは、上記イ−３．（４）で述べたとおりである。
ウ−３．むすび
　以上のとおりであるから、特許異議申立の理由及び証拠によっては本件発明に係る特許を取り消すことはできない。
　また、他に、上記本件発明に係る特許を取り消すべき理由を発見しない。
　よって、結論のとおり決定する。
【異議決定日】
平成１１年１２月２２日（１９９９．１２．２２）
【訂正の要旨】
訂正の要旨
（１）特許請求の範囲の請求項１の第１９行（特許公報第１頁第２欄第１１行）の「の少なくとも１つの挟持片」を削除する。
（２）明細書第４頁第３行（特許公報第２頁第４欄第３０行〜３１行）の「の少なくとも１つの挟持片」を削除する。
（３）明細書第５頁第１行（特許公報第３頁第５欄第１４行）の「に本発明を適用した実施例を「であって、本発明の実施例の前提となる参考例」に訂正する。
（４）明細書第５頁第２５行（特許公報第３頁第５欄第４３行）、第６頁第７行（特許公報第３頁第６欄第７行）、第９頁第７行（特許公報第４頁第８欄第１６行〜１７行）、第９頁第２７行（特許公報第４頁第８欄第４０行）、第１０頁第２１行（特許公報第５頁第９欄第１８行）、第１０頁第２７行（特許公報第５頁第９欄第２６行）、第１１頁第９行（特許公報第５頁第９欄第４１行）、第１１頁第１４行（特許公報第５頁第９欄第４４行）、第１１頁第２１行（特許公報第５頁第１０欄第３行）、第１１頁第２７行（特許公報第５頁第１０欄第１０行）、第１２頁第１３行（特許公報第５頁第１０欄第２８行）、第１２頁第２１行（特許公報第５頁第１０欄第３６行）、第１３頁第２７行（特許公報第６頁第１２欄第２行）の「実施例」をそれぞれ「例」に訂正する。
（５）明細書第１１頁第１３行（特許公報第５頁第９欄第４４行）の「実施例の変形例」を削除する。
（６）明細書第１２頁第２０行（特許公報第５頁第１０欄第３６行）の「他の」を削除する。
（７）明細書第１２頁第２２行（特許公報第５頁第１０欄第３８行）の「図９」の前に「本発明の実施例では、」を挿入する。
（８）明細書第１２頁第２４行（特許公報第５頁第１０欄第４１行）の「もよい」を「いる」に訂正する。
（９）明細書第１３頁第２３行（特許公報第６頁第１１欄第２４行）の「部分」の前に［前提となる参考例の」を挿入する。
（１０）明細書第１４頁第１０行（特許公報第６頁第１２欄第１０行）の「他の」を削除する。
（５４）【発明の名称】
高圧用可変抵抗器
（５７）【特許請求の範囲】
　【請求項１】　表面にフォーカス用抵抗体とスクリーン用抵抗体とを含む抵抗体回路パターンを備えた回路基板（５）が一端開口状の絶縁ケース（１）の内部に収納され、
　前記絶縁ケース（１）と前記回路基板（５）の前記表面との間に摺動子が収納され、
　前記絶縁ケース（１）の開口部に絶縁樹脂が充填されて前記回路基板（５）の裏面側に絶縁樹脂層（６）が形成され、
　前記絶縁ケース（１）の側壁部にはフォーカス出力用のリード線とスクリーン出力用のリード線がそれぞれ挿入される二つのリード線挿入孔（３ｃ）が形成されており、
　前記回路基板の裏面側から延びる金属製の接続端子（９）が前記絶縁ケース（１）の１つの側壁部（１ｋ）を越えて延びている高圧用可変抵抗器であって、
　前記絶縁ケース（１）と前記回路基板（５）との間には、前記回路基板上の前記抵抗体回路パターンのフォーカス出力電極とスクリーン出力電極とにそれぞれ電気的に接続された２つのリード線挟持手段（４）が配置されており、
　前記２つのリード線挟持手段（４）は、前記絶縁ケースの前記側壁部に設けた前記リード線挿入孔（３ｂ，３ｃ）から挿入された前記リード線の芯線の端部（１２）を挟持する複数の挟持片（４１，４２）を有しており、前記複数の挟持片は挟持した前記芯線に引抜力が付与された際に前記芯線に食込むエッジ部（４１ｃ）を有しており、
　前記フォーカス出力用のリード線が挿入されるリード線挿入孔（３ｂ，３ｃ）は、前記絶縁ケースの側壁部のうち前記接続端子（９）が越えて延びる前記側壁部（１ｋ）と対向する側壁部（１ｃ）に設けられ、前記スクリーン出力用のリード線が挿入されるリード線挿入孔は前記側壁部（１ｃ）と隣接する側壁部（１ｉ）に設けられていることを特徴とする高圧用可変抵抗器。
【発明の詳細な説明】
　【発明の属する技術分野】
　本発明は、フライバックトランスと組み合わされて用いられる高圧用可変抵抗器に関するものである。
　【従来の技術】
　テレビのフライバックトランスと組み合わされる高圧用可変抵抗器は、表面にフォーカス用抵抗体とスクリーン用抵抗体とを含む抵抗体回路パターンを備えた回路基板が一端開口状の絶縁ケースの内部に収納され、絶縁ケースの開口部に絶縁樹脂が充填されて回路基板の裏面側に絶縁樹脂層が形成された構造を有している。高圧用可変抵抗器の回路基板の裏面側には、フライバックトランスとの接続のための接続端子とアースのための接続端子が設けられている。高圧用可変抵抗器をフライバックトランスと組み合わせる場合には、まずフライバックトランスのケースに設けた取付窓に高圧用可変抵抗器を嵌め込む。そしてフライバックトランスと高圧用可変抵抗器との間の電気的接続を行った後に、フライバックトランスのケースにモールド樹脂が充填されてフライバックトランスと高圧用可変抵抗器とが一体化される。
　高圧用可変抵抗器からのフォーカス出力とスクリーン出力の取り出しは、一般的にはリード線が用いられている。回路構成と電極間の放電発生防止の理由から、フォーカス出力電極とスクリーン出力電極は離れた位置に形成され、アース電極はスクリーン出力電極に近い位置に形成される。そのため一般的には、スクリーン出力用のリード線はアース用の端子電極と同じ側に導出され、フォーカス出力用のリード線はスクリーン出力用のリード線とは反対側から導出される。
　【発明が解決しようとする課題】
　しかしながら従来の高圧用可変抵抗器では、予めリード線を回路基板に接続した後に、絶縁ケースの開口部に絶縁樹脂を充填してこれを硬化させていた。そのため樹脂を充填する際及び充填した樹脂を硬化させるために恒温槽に組立品を挿入する際にもリード線が邪魔になり、量産化の障害になっていた。またフライバックトランスと組み合わせる場合でも、リード線は邪魔になる上、フライバックトランスのモールド樹脂を恒温槽内で硬化させる際にリード線があると恒温槽のスペースを有効に利用できない問題も生じる。また先にリード線を予め半田付けにより接続しているため、機種の相違に応じてリード線の長さが異なった高圧用可変抵抗器を個別に作る必要があり、汎用性に乏しいという問題があった。
　更にリード線を用いて出力を出す場合には、リード線を通すための貫通孔を絶縁ケースに開けることになるため、外部に対して放電が発生しやすくなる問題がある。
　本発明の目的は、組立の最後にリード線を接続でき且つ出力にリード線を用いても放電が発生し難い高圧用可変抵抗器を提供することにある。
　【課題を解決するための手段】
　本発明の高圧用可変抵抗器は、図１ないし図７に示す実施例に見られるように、表面にフォーカス用抵抗体とスクリーン用抵抗体とを含む抵抗体回路パターンを備えた回路基板５が一端開口状の絶縁ケース１の内部に収納されている。絶縁ケース１と回路基板５の表面との間に摺動子が収納され、絶縁ケース１の開口部に絶縁樹脂が充填されて回路基板５の裏面側に絶縁樹脂層６が形成されている。そして絶縁ケース１の側壁部にはフォーカス出力用のリード線とスクリーン出力用のリード線がそれぞれ挿入される２つのリード線挿入孔３ｃが形成されており、回路基板の裏面側から延びる金属製の接続端子９が絶縁ケース１の１つの側壁部１ｋを越えて延びている。
　絶縁ケース１と回路基板５との間には、回路基板上の抵抗体回路パターンのフォーカス出力電極とスクリーン出力電極とにそれぞれ電気的に接続された２つのリード線挟持手段４が配置されている。これら２つのリード線挟持手段４は、絶縁ケースの側壁部に設けたリード線挿入孔（３ｂ，３ｃ）から挿入されたリード線の芯線の端部１２を挟持する複数の挟持片（４１，４２）を有している。複数の挟持片は挟持した芯線に引抜力が付与された際に芯線に食込むエッジ部４１ｃを有している。フォーカス出力用のリード線が挿入されるリード線挿入孔（３ｂ，３ｃ）は、絶縁ケース１の側壁部のうち接続端子９が越えて延びる側壁部１ｋと対向する側壁部１ｃに設けられ、スクリーン出力用のリード線が挿入されるリード線挿入孔は側壁部１ｃと隣接する側壁部１ｉに設けられている。
　本発明の高圧用可変抵抗器においては、フォーカス出力用のリード線とスクリーン出力用のリード線をリード線挿入孔に挿入すると、リード線挟持片４１，４２がリード線の芯線１２を挟持し、リード線に引抜力が付与されるとエッジ部４１ｃがリード線の芯線に食込んで、リード線の抜止めが図られる。したがって、本発明によれば、組立ての最終工程でリード線を接続できるので、高圧用可変抵抗器の組立ては勿論のこと、高圧用可変抵抗器とフライバックトランスとの組み合わせ作業が容易になる。また使用機種に応じて、適宜の長さのリード線を装着できるので、高圧用可変抵抗器の汎用性を高めることができる。
　更に本発明では、フォーカス出力用のリード線が挿入されるリード線挿入孔と、スクリーン出力用のリード線が挿入されるリード線挿入孔とを絶縁ケースの異なった側壁部に設け、しかもスクリーン出力用のリード線が挿入されるリード線挿入孔を接続端子が越えて延びる側壁部とは異なる側壁部に設けるため、各端子間の絶縁距離を延ばすことができ、リード線挿入孔を絶縁ケースの側壁部に開けても、外部放電が発生するのを有効に防止できる利点がある。
　【発明の実施の形態】
　以下図面を参照して本発明の実施例を詳細に説明する。
　図１は、テレビのフライバックトランスの一部に用いられるフォーカス出力及びスクリーン出力を有する高圧用可変抵抗器であって、本発明の実施例の前提となる参考例を示す部分断面図である。また図２は、図１の抵抗器の側面図を示している。これらの図において、１は絶縁性樹脂材料により成形された一端開口状の絶縁ケースであり、絶縁ケース１の前面壁部１ａには２つの可変抵抗器の摺動子を操作する操作軸２ａ及び２ｂがそれぞれ貫通する管状の突出部１ｂ１及び１ｂ２が突設されている。なお例の可変抵抗器の構成自体は周知であるため図示及び説明を省略する。絶縁ケース１の長手方向の一方の側壁部１ｃには絶縁ケース１と一体にリード線を保持するリード線保持筒３が突設されている。なおこのリード線保持筒３には、フォーカス出力を外部に引き出すためのリード線が挿入される。絶縁ケース１の開口部１ｄの周囲にはフランジ部１ｅが設けてある。
　絶縁ケース１の内部は、仕切り壁１ｆによって図示しない摺動子が収納される部品収納室１ｇと後述するリード線挟持手段４が収納される挟持片収納室１ｈとに仕切られている。この仕切り壁１ｆは、挟持片収納室１ｈに侵入する外気が、部品収納室１ｇに侵入するのを防止するとともに絶縁性を高めるために設けられている。
　図２に示されるように、ケース１の側壁部１ｉには、リード線保持筒３と同様の第２のリード線保持筒３´が設けられており、この第２のリード線保持筒３´にはスクリーン出力を外部に引き出すリード線が挿入され、リード線保持筒３´に対応するケース１内にも挟持片収納室１ｈが設けられている。尚図示していないが、リード線保持筒３´に対応して設けられた挟持片収納室１ｈにもリード線挟持手段４が収納されている。
　リード線保持筒３は、特に本例のように高電圧を外部に出力する場合に、絶縁性を高めるために設けられているものであり、出力電圧が低い場合には特に設ける必要は無い。リード線保持筒３の内部には貫通孔が形成され、この貫通孔は挿入されるリード線の被覆コードの外径寸法に略等しい直径寸法を有し一端がリード線保持筒３の端面側に開口する大径部３ａと、該大径部３ａの他端に連続して延びリード線挿入方向（図示の矢印方向）に向かって次第に径が小さくなるテーパ部３ｂと、該テーパ部３ｂに連続して延び一端がケース１内の挟持片収納室１ｈに開口する小径部３ｃとから構成されている。小径部３ｃの直径寸法は挿入される図示しないリード線の芯線の端部の外径寸法よりも若干大きくなるように定められている。
　なお本例では、テーパ部３ｂと小径部３ｃとにより、絶縁ケース１の側壁部に設けられるリード線挿入孔が構成されている。このようにある程度長いリード線保持筒３を設けると、リード線が挿入される間にリード線はほぼ直線状になるためリード線の芯線の端部はリード線の挿入方向に延びる形状に整形される。またリード線挿入孔の一部を構成するテーパ部３ｂは、リード線の芯線の端部を中心位置に導くのに有効に作用する。なおリード線保持筒３を設けない場合でも、テーパ部３ｂを設けておけば、リード線の心線の端部をケース内にスムーズに挿入することができる。
　５は図示しない表面にフォーカス用抵抗体とスクリーン用抵抗体とを含む抵抗体回路パターンを備えた絶縁性回路基板である。回路基板５は絶縁ケース１の内周壁に設けた段部１ｊと仕切り壁１ｆの一方の端面１ｆ１とに当接するように配置されている。回路基板５の固定は一般に熱硬化性の接着剤を用いて行う。特に回路基板５の取り付けに接着剤を用いるのは、本例のように高電圧を扱う電子部品において、部品収納室１ｇの絶縁性を高めるとともに部品収納室１ｇ内部に湿気が侵入するのを防止するためである。
　回路基板５の裏面５ａとケース１の内周壁とによって形成された空間には、熱硬化性樹脂が充填されて絶縁性樹脂層６が形成されている。絶縁性樹脂層６は、主として絶縁性強化のために設けられている。
　ケース１の開口部側から突出する符号７で示した部材は、基板５の裏面５ａ側に設けた図示しない電極に接続された接続用端子部である。この接続用端子部７は、軸線方向に延びる切欠き部７ａを有する断面がＣ字状を呈する筒部７ｂと筒部７ｂ内に嵌入された円柱状の導電性ゴムからなる端子差込部７ｃとから構成される。端子差込部７ｃには、基板５の裏面５ａ側から突出する接続端子８が挿入されている。この接続用端子部７にフライバックトランス側から延びるリード線等の接続線を接続する場合には、筒部７ｂの軸線方向端面側または切欠き部７ａ側からリード線の芯線の端部を端子差込部７ｃに差込めばよい。この様な構成の接続用端子部７を用いれば、リード線を簡単に接続することができる。なおリード線の芯線の挿入を容易にするためには、リード線の芯線の先端を尖らせておくのが好ましい。
　ケース１の長手方向の他方の端面１ｋ側に突出する棒状の部材は、導電性金属材料からなるアース用の接続端子９である。また１０は、リード線保持筒３のケース１の側壁部１ｃ寄りの外周部に設けられたリード線保持片である。リード線保持片１０は、スクリーン出力を外部に引き出すためにリード線保持筒３´から導出されるリード線を保持するものである。リード線保持片１０には、リード線が嵌入される嵌入溝１０ａが設けられている。
　挟持片収納室１ｈ内に収納されるリード線挟持手段の具体的な構成は、図３乃至図６に示す通りである。本例で用いる一対の挟持片は、剛性を有する材料、例えばリン青銅を主材料とする導電性金属板を打抜き成形及びプレス成形して一体に成形されている。
　図３は一体に形成された一対の挟持片を有するリード線挟持手段４の正面図を示しており、図４は図３のＩＶ−ＩＶ線断面図、図５は平面図を示している。リード線挟持手段４は、回路基板５に設けられた取付け用貫通孔５ｂ（図１）に挿入される挿入部４ａを有している。図３に示されるように、挿入部４ａは凸形状を呈しており、基部４ａ１が基板５に設けた取付け用貫通孔５ｂに挿入された状態で折曲部４ａ２が回路基板５の裏面５ａ側に折曲げられてリード線挟持手段４の抜止めが図られている（図１参照）。
　図４に符号４ｂで示した部分は、挿入部４ａと連続して延び基板５の表面と接触する面４ｂ１を有する平坦部であり、図２に示されるように平坦部４ｂの非接触面４ｂ２と回路基板５の表面に設けた図示しない電気回路との間に半田付部１１が形成されている。平坦部４ｂには、回路基板５の面に対して略垂直方向に延びる起立部４ｃが連続して設けられている。起立部４ｃは、基板５の表面側に位置する第１の部分４ｃ１と該１の部分４ｃ１の両側から起立する１対の矩形状の板部材からなる第２の部分４ｃ２とから構成される。
　起立部４ｃの第１の部分４ｃ１の中央部には、金属板を切り起こして形成した第１の挟持片４１の一端が固定されている。また起立部４ｃの第２の部分４ｃ２の第１の部分４ｃ１と反対側の端部には、図５に示すように後述する第２の挟持片４２を支持する支持部４ｄが起立部４ｃに対して略直角な方向に延びるようにして設けられている。これら第１の挟持片４１と第２の挟持片４２とにより、リード線の芯線の端部が挟持されてリード線が保持される。
　図４に示すように、第１の挟持片４１は、一点鎖線で示したリード線の芯線の端部１２により押されて挿入方向（図４の矢印の方向）に傾斜するように構成されている。なお図４は、リード線の芯線の端部１２が奥まで挿入された状態の断面図であり、リード線が奥に挿入される前の第１の挟持片４１の状態は同図に二点鎖線で示す通りである。第１の挟持片４１は、起立部４ｃの第１の部分４ｃ１に一端が固定された平板部４１ａと該平板部４１ａの他端からリード線の挿入方向に折れ曲がって延びる接触部４１ｂとを備えている。また第１の挟持片４１の他端すなわち接触部４１ｂの先端部には、リード線が挿入方向に挿入されているときにはリード線の芯線の端部１２の外周の一部と接触し、リード線が挿入方向と反対方向に引かれるとリード線の外周の一部に食込むエッジ部４１ｃが設けられている。図６に示した第１の挟持片４１の平面図及び図３の正面図に示される通り、第１の挟持片４１の接触部４１ｂには、例えば角部を有する治具を用いて挿入方向にプレスして外側に延びる２つの傾斜面４１ｃ１を形成することによりエッジ部４１ｃが形成される。
　第２の挟持片４２は、略半円筒状の形状を呈しており、リード線が挿入される側の端部には、リード線の芯線の端部１２をスムーズに受け入れるためのテーパ部４２ａが形成されている。第２の挟持片４２は、第１の挟持片４１と協働してリード線の芯線の端部１２を挟持するとともにリード線の芯線の端部１２との電気的接続を良好に行えるように構成されている。特に本例では、第２の挟持片４２を略半円筒形状に形成することにより、内周面４２ｂがリード線の芯線の外周面にできる限り添うようにして接触面積を大きくしているので、良好な電気的接触を得ることができる。
　尚リード線の芯線の端部１２の挿入をスムーズに行わせるためには、第２の挟持片４２の内周面４２ｂをケース１の壁部に設けられたリード線挿入孔の一部を構成する小径部３ｃ（図１）の内周面の延長線上に位置決めするか、または延長線よりも上側に位置するように配置するのが好ましい。これは第２の挟持片４２の内周面４２ｂが、貫通孔の小径部３ｃの内周面の延長線よりもかなり下に位置するように第２の挟持片４２を配置すると、リード線の芯線の端部１２の端縁１２ａが第２の挟持片４２のテーパ部４２ａよりも上の端面に当接するようになるため、リード線をスムーズに挿入できなくなることがあるからである。
　第２の挟持片４２のリード線の挿入方向の長さ寸法Ｌは、第１の挟持片４１との間でリード線を挟持できるような寸法であればよい。尚確実にリード線の芯線の端部１２を挟持するためには、第１の挟持片４１が最大限傾斜した位置（図４の位置）における第１の挟持片４１の先端部よりも先の位置まで、第２の挟持片４２が存在するように寸法Ｌを定めるのが好ましい。
　尚本例においては、挿入部４ａ，平板部４ｂ及び起立部４ｃ等から第２の挟持片を基板５に対して固定する固定手段が構成されている。
　以下図４及び図７を参照してリード線の装着について説明する。まずリード線の芯線の端部１２の挿入初期においては、まず芯線の端部１２の端縁１２ａは２つの傾斜面４１ｃ１と接触する。芯線の端部１２の端縁１２ａが傾斜面４１ｃ１に接触している間は、第１の挟持片４１はリード線の芯線の端部１２により押されて、固定された一端を中心にして挿入方向に傾斜角度を増しながら傾斜する。リード線の芯線の端部１２を更に挿入方向に挿入すると、図７に示すように芯線の端部１２の外周の一部が傾斜面４１ｃ１と接触部４１ｂの端面４１ｂ１との境界に形成されたエッジ４１ｃ２と接触するようになる。このような状態になると、第１の挟持片４１の傾斜角度の増加は停止する。この状態においては、第１の挟持片４１の元の方向に戻ろうとするスプリング力によって芯線の端部１２は第２の挟持片４２の内周面４２ｂに対して強く押圧されている。
　リード線の挿入が停止された後に、リード線になんらかの原因で挿入方向と反対方向の力即ち引抜力が加わると、第１の挟持片４１には元に戻ろうとするスプリング力が働いている上、第１の挟持片４１が所定の力（例えば約５Ｋｇ）以上の力が加わらない限り変形しない強度を有しているため、第１の挟持片４１の先端部に設けられたエッジ部４１ｃのエッジ４１ｃ２がリード線の芯線の端部１２の外周の一部に食込んでリード線の抜止めが図られる。
　上記例では、リード線の芯線の端部１２が挿入される前の第１の挟持片４１の傾斜角度は約１０°程度に設定されている。第１の挟持片４１の傾斜角度は、リード線を挿入した際にリード線の芯線の端部が第１の挟持片４１と第２の挟持片４２との間にスムーズに入り且つ芯線の端部１２の外周と接触しながら挿入方向に傾斜し得る角度であればいかなる角度であってもよい。
　上記例では、ケース１にリード線挟持手段４がまったく接触しない構成を採用しているため、高電圧を出力する場合でも、ケース１を通して電流が洩れるといった不都合を防止することができる。また挟持手段４を、導電性金属板により一体に形成しているため、取付けが容易である上、機械的強度が強いという利点がある。更にリード線保持筒３及び仕切り壁１ｆを設けたので、高電圧を出力する場合でも十分な絶縁性を得ることができる。
　回路構成上、スクリーン出力電極とアース電極とは近い位置に配置されるため、スクリーン出力用のリード線を挿入するリード線挿入孔またはリード線保持筒３´を、接続端子９が越えて延びる絶縁ケース１の側壁部１ｋに設けることも可能であるが、この場合にはリード線保持筒３´をかなり長くしなければならない。そこで本実施例ではリード線保持筒３´を絶縁ケース１の側壁部１ｉに設けることにより、スクリーン出力用の電極と接続端子９との間の絶縁距離を延ばしている。
　上記例では、一対の挟持片を一体に成形しているが、第１の挟持片４１を第２の挟持片４２と別個に形成し、それぞれ個別に固定するようにしてもよい。第１の挟持片４１を別個に形成する場合には、第１の挟持片４１を絶縁性材料で形成してもよいのは勿論である。第１の挟持片４１を別個に形成して固定する場合において、出力電圧が低電圧のときには挟持片の固定側端部をケース１の内面に固定してもよいのは勿論である。
　また上記例では、第２の挟持片４２がケース１側に位置し、第１の挟持片４１が基板５側に位置するように、リード線挟持手段４を構成しているが、第２の挟持片４２と第１の挟持片４１の位置関係は逆であってもよく、また第２の挟持片４２と第１の挟持片４１とを横方向に対向するように配置してもよいのは勿論である。
　上記例では、第１の挟持片４１の形状を略矩形状としてエッジ部４１ｃのエッジ４１ｃ２の形状を二等辺三角形の二等辺形状とし、接触面４１ｃ１を二つの面を有する形状としたが、第１の挟持片４１の先端部（他端）に設けるエッジ部４１ｃの形状は、リード線の芯線の端部の外周とスムーズに接触しリード線が挿入方向と反対方向に引かれたときにリード線の芯線の外周に食込むものであればいかなる形状であってもよい。例えば、エッジ４１ｃ２の形状を第２の挟持片４２の内周面の形状と同様に略半円形の形状にしてもよく、また多面形状にしてもよい。
　また第２の挟持片４２の形状は、十分な接触面積を得ることができるものであれば、いかなる形状であってもよい。例えば、断面形状をＶ字形または更に多面形状を呈するように構成してもよいのは勿論である。更に、図８に示すように第２の挟持片４２の挿入方向後ろ側端部を基板５側に傾斜させれば、更に強くリード線の芯線の端部を挟持することができる。
　図１に示されるように、上記実施例は高電圧を出力するものであるため、リード線挟持手段４をケースの内壁から離れた位置に固定しているが、比較的低い電圧を出力する場合には、リード線挟持手段４をケース１の内壁に近接して配置することができる。このようにすれば、リード線に強い引抜力が作用した場合でも、挟持手段をケース１の内壁面と当接させることができ、挟持手段が傾くのを防止できる。
［実施例］
　上記例では、挟持片のうち一方の挟持片のみを傾斜可能に構成して、傾斜する挟持片にエッジ部を設けたが、本発明の実施例では、図９に示すように第１及び第２の挟持片４１及び４２の両方を、挿入されるリード線の端部によって押されて傾斜するように構成し、各挟持片の先端部にエッジ部を設けている。このように全ての挟持片を傾斜可能にして、各挟持片の先端にエッジ部を設ければ、更に強固にリード線の抜止めを図ることができる。
　上記実施例では、２つの挟持片を用いているが、挟持片の数は２つに限定されるものでは無く、図１０に示すように３つまたはそれ以上の挟持片４１´，４２´及び４３´をリード線の芯線の周囲に等間隔に配置して、リード線の芯線の端部を挟持するようにしてもよいのは勿論である。
　尚複数の挟持片のうち、何れの挟持片を回路基板５の電極と電気的に接続するかは任意である。またリード線から出力される電圧または電流の大きさに応じて、挟持片の全てまたは一部をケースに固定してもよいのは勿論である。
　【発明の効果】
　本発明の高圧用可変抵抗器によれば、フォーカス出力用のリード線とスクリーン出力用のリード線を組立ての最終工程で接続できるので、高圧用可変抵抗器の組立ては勿論のこと、高圧用可変抵抗器とフライバックトランスとの組み合わせ作業が容易になる。また機種に応じて、適宜の長さのリード線を装着できるので、高圧用可変抵抗器の汎用性を高めることができる。
　更に本発明によれば、フォーカス出力用のリード線が挿入されるリード線挿入孔と、スクリーン出力用のリード線が挿入されるリード線挿入孔とを絶縁ケースの異なった側壁部に設け、しかもスクリーン出力用のリード線が挿入されるリード線挿入孔を接続端子が越えて延びる側壁部とは異なる側壁部に設けるため、各端子間の絶縁距離を延ばすことができ、リード線挿入孔を絶縁ケースの側壁部に開けても、外部放電が発生するのを有効に防止できる。
【図面の簡単な説明】
　【図１】
　本発明の高圧用可変抵抗器の実施例の前提となる参考例の部分断面図である。
　【図２】
　図１の可変抵抗器の側面図である。
　【図３】
　図１の例で用いるリード線挟持手段の正面図である。
　【図４】
　図３のＩＶ−ＩＶ線断面図である。
　【図５】
　図３のリード線挟持手段の平面図である。
　【図６】
　第１の挟持片の平面図である。
　【図７】
　リード線の芯線の端部と第１の挟持片のエッジ部との関係を示す説明図
　【図８】
　第２の挟持片の変形例を示す断面図である。
　【図９】
　本発明で用いるリード線挟持手段の実施例を示す断面図である。
　【図１０】
　本発明で用いるリード線挟持手段の更に他の実施例を示す説明図である。
　【符号の説明】
１　絶縁ケース
３，３´　リード線保持筒
３ｂ　縮径部
３ｃ　小径部
４　リード線挟持手段
５　回路基板
１２　リード線の芯線の端部
４１　第１の挟持片
４１ｃ　エッジ部
４２　第２の挟持片